(57)【要約】【課題】写真撮影が終了してから写真が顧客に引き渡されるまでの待ち時間に顧客が楽しむことができるような写真撮影システムおよび写真撮影スタジオを提供する。【解決手段】写真撮影システムは、デジタルカメラ１００と画像確認用パソコン２００と画像編集用パソコン３００とプリンタ４００と現像装置５００とを備える。画像確認用パソコン２００は、デジタルカメラ１００で生成された撮影画像を取得する。画像編集用パソコン３００は、画像確認用パソコン２００より撮影画像を取得し、その撮影画像をディスプレイに表示させる。また、画像編集用パソコン３００は、ディスプレイに表示された撮影画像を編集する機能を有している。当該編集機能により、顧客は、予め用意された背景画像と撮影画像とを結合させたり、背景に文字や絵を描くことができる。プリンタ４００は、編集後の撮影画像を印刷出力する。【選択図】図１
2007163826.tif 000002
【特許請求の範囲】
【請求項１】
被写体を撮影することによって生成される撮影画像を写真として出力するための写真撮影システムであって、
前記被写体を撮影して前記撮影画像を生成するデジタルカメラと、
前記デジタルカメラより前記撮影画像を取り込み、当該取り込まれた撮影画像を写真として現像するために出力する第１のコンピュータと、
画像を表示する表示部を有し、前記第１のコンピュータに取り込まれた撮影画像を更に取り込んで前記表示部に表示し、前記表示部に表示された撮影画像を編集するための第２のコンピュータと、
前記第２のコンピュータによって編集された撮影画像を印刷出力する印刷装置と
を備えることを特徴とする、写真撮影システム。
【請求項２】
前記第２のコンピュータと前記印刷装置とは、一体化していることを特徴とする、請求項１に記載の写真撮影システム。
【請求項３】
前記印刷装置は、前記第２のコンピュータによって編集された撮影画像を写真シールとして印刷出力することを特徴とする、請求項１または２に記載の写真撮影システム。
【請求項４】
前記第１のコンピュータは、前記第２のコンピュータによって編集された撮影画像を取り込み、当該取り込まれた撮影画像を写真として現像するために出力することができることを特徴とする、請求項１から３までのいずれか１項に記載の写真撮影システム。
【請求項５】
顧客データを管理するためのサーバと、
写真撮影の予約の登録を行うための店舗端末とを更に備え、
前記サーバと前記店舗端末とは、前記第１のコンピュータおよび前記第２のコンピュータの少なくともいずれか一方と接続されていることを特徴とする、請求項１から４までのいずれか１項に記載の写真撮影システム。
【請求項６】
前記第１のコンピュータから出力された撮影画像を写真として出力する現像装置を更に備えることを特徴とする、請求項１から５までのいずれか１項に記載の写真撮影システム。
【請求項７】
被写体を撮影することによって生成される撮影画像を写真として出力するための写真撮影スタジオであって、
前記被写体を撮影して前記撮影画像を生成するデジタルカメラと、前記デジタルカメラより前記撮影画像を取り込み、当該取り込まれた撮影画像を写真として現像するために出力する第１のコンピュータとを備える第１の領域と、
画像を表示する表示部を有し、前記第１のコンピュータに取り込まれた撮影画像を更に取り込んで前記表示部に表示し、前記表示部に表示された撮影画像を編集するための第２のコンピュータと、前記第２のコンピュータによって編集された撮影画像を印刷出力する印刷装置とを備える第２の領域と
を有することを特徴とする、写真撮影スタジオ。
【請求項８】
前記第２のコンピュータと前記印刷装置とは、一体化していることを特徴とする、請求項７に記載の写真撮影スタジオ。
【請求項９】
前記印刷装置は、前記第２のコンピュータによって編集された撮影画像を写真シールとして印刷出力することを特徴とする、請求項７または８に記載の写真撮影スタジオ。
【請求項１０】
前記第１のコンピュータは、前記第２のコンピュータによって編集された撮影画像を取り込み、当該取り込まれた撮影画像を写真として現像するために出力することができることを特徴とする、請求項７から９までのいずれか１項に記載の写真撮影スタジオ。
【請求項１１】
顧客データを管理するためのサーバと写真撮影の予約の登録を行うための店舗端末とを備える第３の領域を更に有し、
前記サーバと前記店舗端末とは、前記第１のコンピュータおよび前記第２のコンピュータの少なくともいずれか一方と接続されていることを特徴とする、請求項７から１０までのいずれか１項に記載の写真撮影スタジオ。
【請求項１２】
前記第３の領域は、前記第１のコンピュータから出力された撮影画像を写真として出力する現像装置を更に備えることを特徴とする、請求項１１に記載の写真撮影スタジオ。
【請求項１３】
被写体を撮影することによって生成される撮影画像を写真として出力するための写真撮影システムであって、
前記被写体を撮影して前記撮影画像を生成する撮影手段と、
前記撮影手段より前記撮影画像を取り込み、当該取り込まれた撮影画像を出力する画像転送手段と、
画像を表示する表示手段を有し、前記画像転送手段に取り込まれた撮影画像を前記表示手段に表示し、前記表示手段に表示された撮影画像を編集するための画像編集手段と、
前記画像編集手段によって編集された撮影画像を印刷出力する編集画像印刷出力手段と
を備えることを特徴とする、写真撮影システム。
【請求項１４】
前記編集画像印刷出力手段は、前記画像編集手段によって編集された撮影画像を写真シールとして印刷出力することを特徴とする、請求項１３に記載の写真撮影システム。
【請求項１５】
前記画像転送手段は、前記画像編集手段によって編集された撮影画像を取り込み、当該取り込まれた撮影画像を出力する編集後画像転送手段を含むことを特徴とする、請求項１３または１４に記載の写真撮影システム。
【請求項１６】
顧客データを管理するための顧客管理手段と、
写真撮影の予約の登録を行うための予約登録手段とを更に備えていることを特徴とする、請求項１３から１５までのいずれか１項に記載の写真撮影システム。
【請求項１７】
前記画像転送手段から出力された撮影画像を写真として出力する写真出力手段を更に備えることを特徴とする、請求項１３から１６までのいずれか１項に記載の写真撮影システム。
【請求項１８】
前記画像転送手段は、前記撮影手段より取り込んだ撮影画像を写真として現像するために出力する写真用データ出力手段を含むことを特徴とする、請求項１３から１６までのいずれか１項に記載の写真撮影システム。
【発明の詳細な説明】
【技術分野】
【０００１】
本発明は、写真撮影システムおよび写真撮影スタジオに関し、より詳しくは、デジタルカメラを用いて顧客を撮影し、撮影画像を写真として顧客に提供するための写真撮影システムおよび写真撮影スタジオに関する。
【背景技術】
【０００２】
従来より、七五三、成人式、子供の誕生日などの記念写真をプロのカメラマンが高性能な機材を用いて撮影することによって顧客に高品質な写真の提供を行う施設（「写真撮影スタジオ」、「写真スタジオ」あるいは「写真館」などと呼ばれているが、以下「写真撮影スタジオ」という。）が知られている。近年、デジタルカメラの普及が著しく、写真撮影スタジオにおいてもデジタルカメラを用いた撮影が行われている。そのような写真撮影スタジオにおいては、デジタルカメラ、パソコン、現像装置等によって写真撮影システムが構築されている。
【０００３】
図１１は、従来の写真撮影システムの全体構成を示すブロック図である。この写真撮影システムは、デジタルカメラ１００と画像確認用パソコン２００と現像装置５００とを備えている。デジタルカメラ１００は、写真撮影の対象となる被写体を撮影し、デジタルデータの撮影画像を生成する。画像確認用パソコン２００は、デジタルカメラ１００によって生成された撮影画像を取り込み、当該撮影画像をディスプレイに表示させる。カメラマンや顧客は、この画像確認用パソコン２００のディスプレイに表示された撮影画像を見て、被写体の写り具合等の確認を行う。現像装置５００は、画像確認用パソコン２００に取り込まれたデジタル画像を写真として出力する。
【０００４】
また、顧客管理や画像管理を容易ならしめるために、図１２に示すような構成の写真撮影システムもある。この写真撮影システムには、図１１に示した上述のシステムの構成に加えて、管理用サーバ６００とＰＯＳ端末７００とが設けられている。管理用サーバ６００には、上述の撮影画像や顧客データ等が格納される。すなわち、管理用サーバ６００は、画像管理や顧客管理のためのサーバコンピュータとして機能している。ＰＯＳ端末７００では、写真撮影の予約の登録等が行われる。
【０００５】
なお、写真撮影スタジオにおける写真撮影システムの構成については、例えば、特許文献１に開示されている。
【特許文献１】特開２００２−３１４９０８号公報
【発明の開示】
【発明が解決しようとする課題】
【０００６】
ところが、上記写真撮影システムによると、写真撮影の終了後、現像装置５００から写真が出力されて当該写真が顧客に引き渡されるまで、顧客に待ち時間がある。このような待ち時間があると、顧客に退屈感を与えるなど、顧客満足度が低下するおそれがある。
【０００７】
そこで、本発明は、写真撮影が終了してから写真が顧客に引き渡されるまでの待ち時間に顧客が退屈することなく楽しむことができるような写真撮影システムおよび写真撮影スタジオを提供することを目的とする。
【課題を解決するための手段】
【０００８】
第１の発明は、被写体を撮影することによって生成される撮影画像を写真として出力するための写真撮影システムであって、
前記被写体を撮影して前記撮影画像を生成するデジタルカメラと、
前記デジタルカメラより前記撮影画像を取り込み、当該取り込まれた撮影画像を写真として現像するために出力する第１のコンピュータと、
画像を表示する表示部を有し、前記第１のコンピュータに取り込まれた撮影画像を更に取り込んで前記表示部に表示し、前記表示部に表示された撮影画像を編集するための第２のコンピュータと、
前記第２のコンピュータによって編集された撮影画像を印刷出力する印刷装置と
を備えることを特徴とする。
【０００９】
第２の発明は、第１の発明において、
前記第２のコンピュータと前記印刷装置とは、一体化していることを特徴とする。
【００１０】
第３の発明は、第１または第２の発明において、
前記印刷装置は、前記第２のコンピュータによって編集された撮影画像を写真シールとして印刷出力することを特徴とする。
【００１１】
第４の発明は、第１から第３までのいずれかの発明において、
前記第１のコンピュータは、前記第２のコンピュータによって編集された撮影画像を取り込み、当該取り込まれた撮影画像を写真として現像するために出力することができることを特徴とする。
【００１２】
第５の発明は、第１から第４までのいずれかの発明において、
顧客データを管理するためのサーバと、
写真撮影の予約の登録を行うための店舗端末とを更に備え、
前記サーバと前記店舗端末とは、前記第１のコンピュータおよび前記第２のコンピュータの少なくともいずれか一方と接続されていることを特徴とする。
【００１３】
第６の発明は、第１から第５までのいずれかの発明において、
前記第１のコンピュータから出力された撮影画像を写真として出力する現像装置を更に備えることを特徴とする。
【００１４】
第７の発明は、被写体を撮影することによって生成される撮影画像を写真として出力するための写真撮影スタジオであって、
前記被写体を撮影して前記撮影画像を生成するデジタルカメラと、前記デジタルカメラより前記撮影画像を取り込み、当該取り込まれた撮影画像を写真として現像するために出力する第１のコンピュータとを備える第１の領域と、
画像を表示する表示部を有し、前記第１のコンピュータに取り込まれた撮影画像を更に取り込んで前記表示部に表示し、前記表示部に表示された撮影画像を編集するための第２のコンピュータと、前記第２のコンピュータによって編集された撮影画像を印刷出力する印刷装置とを備える第２の領域と
を有することを特徴とする。
【００１５】
第８の発明は、第７の発明において、
前記第２のコンピュータと前記印刷装置とは、一体化していることを特徴とする。
【００１６】
第９の発明は、第７または第８の発明において、
前記印刷装置は、前記第２のコンピュータによって編集された撮影画像を写真シールとして印刷出力することを特徴とする。
【００１７】
第１０の発明は、第７から第９までのいずれかの発明において、
前記第１のコンピュータは、前記第２のコンピュータによって編集された撮影画像を取り込み、当該取り込まれた撮影画像を写真として現像するために出力することができることを特徴とする。
【００１８】
第１１の発明は、第７から第１０までのいずれかの発明において、
顧客データを管理するためのサーバと写真撮影の予約の登録を行うための店舗端末とを備える第３の領域を更に有し、
前記サーバと前記店舗端末とは、前記第１のコンピュータおよび前記第２のコンピュータの少なくともいずれか一方と接続されていることを特徴とする。
【００１９】
第１２の発明は、第１１の発明において、
前記第３の領域は、前記第１のコンピュータから出力された撮影画像を写真として出力する現像装置を更に備えることを特徴とする。
【００２０】
第１３の発明は、被写体を撮影することによって生成される撮影画像を写真として出力するための写真撮影システムであって、
前記被写体を撮影して前記撮影画像を生成する撮影手段と、
前記撮影手段より前記撮影画像を取り込み、当該取り込まれた撮影画像を出力する画像転送手段と、
画像を表示する表示手段を有し、前記画像転送手段に取り込まれた撮影画像を前記表示手段に表示し、前記表示手段に表示された撮影画像を編集するための画像編集手段と、
前記画像編集手段によって編集された撮影画像を印刷出力する編集画像印刷出力手段と
を備えることを特徴とする。
【００２１】
第１４の発明は、第１３の発明において、
前記編集画像印刷出力手段は、前記画像編集手段によって編集された撮影画像を写真シールとして印刷出力することを特徴とする。
【００２２】
第１５の発明は、第１３または第１４の発明において、
前記画像転送手段は、前記画像編集手段によって編集された撮影画像を取り込み、当該取り込まれた撮影画像を出力する編集後画像転送手段を含むことを特徴とする。
【００２３】
第１６の発明は、第１３から第１５までのいずれかの発明において、
顧客データを管理するための顧客管理手段と、
写真撮影の予約の登録を行うための予約登録手段とを更に備えていることを特徴とする。
【００２４】
第１７発明は、第１３から第１６までのいずれかの発明において、
前記画像転送手段から出力された撮影画像を写真として出力する写真出力手段を更に備えることを特徴とする。
【００２５】
第１８発明は、第１３から第１６までのいずれかの発明において、
前記画像転送手段は、前記撮影手段より取り込んだ撮影画像を写真として現像するために出力する写真用データ出力手段を含むことを特徴とする。
【発明の効果】
【００２６】
上記第１の発明によれば、写真撮影システムには、デジタルカメラと第１のコンピュータと第２のコンピュータと印刷装置とが設けられている。デジタルカメラで生成された撮影画像は、第１のコンピュータに取り込まれる。第１のコンピュータは、撮影画像を写真として現像するために当該撮影画像の出力を行う。ここで、撮影画像を写真として出力するためには、多少の時間を要する。また、第１のコンピュータに取り込まれた撮影画像は、第２のコンピュータに取り込まれ、第２のコンピュータの表示部に表示される。第２のコンピュータでは、表示部に表示された撮影画像の編集が行われる。印刷装置では、編集後の撮影画像の印刷出力が行われる。このため、写真出力が終了するまでの待ち時間に、顧客は、第２のコンピュータによって撮影画像の編集を行ったり、編集後の撮影画像を印刷装置によって印刷出力するなどして楽しむことができる。これにより、写真撮影スタジオにおいて、顧客満足度が向上する。また、写真出力が別の場所で行われるような場合についても、写真撮影後に顧客は上記と同様に楽しむことができ、顧客満足度が向上する。
【００２７】
上記第２の発明によれば、第２のコンピュータと印刷装置とは一体化している。このため、顧客は、簡易な操作で、撮影画像の編集や編集後の撮影画像の印刷を行うことができる。
【００２８】
上記第３の発明によれば、第２のコンピュータによって編集された撮影画像が写真シールとして印刷装置から印刷出力される。これにより、遊戯性が向上し、顧客は更に楽しむことができる。
【００２９】
上記第４の発明によれば、第２のコンピュータによって編集された撮影画像を、第１のコンピュータが写真として現像するために出力することができる。これにより、第３の発明と同様、遊戯性が向上し、顧客は更に楽しむことができる。
【００３０】
上記第５の発明によれば、写真撮影システムには、顧客データを管理するためのサーバと写真撮影の予約の登録を行うための店舗端末とが設けられている。そのサーバと店舗端末とは、第１のコンピュータおよび第２のコンピュータの少なくともいずれか一方と接続されている。このため、撮影画像の管理と顧客管理、予約管理とが一つのシステムで一元的に行われ、写真撮影スタジオの運営が効率的に行われる。
【００３１】
上記第６の発明によれば、写真撮影システムには現像装置が備えられている。このため、顧客が第２のコンピュータによる画像編集等で楽しんでいる間に写真を現像することができる。
【００３２】
上記第７の発明によれば、写真撮影スタジオには、写真を撮影するための第１の領域と、撮影画像の編集や印刷が可能な装置を備える第２の領域とが設けられている。このため、第２の領域を顧客の待合スペースとすることで、撮影後の顧客を速やかに待合スペースに誘導することができる。また、撮影画像の編集等によって顧客を楽しませることができるので、顧客を待合スペース内で待機させることが容易になる。これにより、現像後の写真の引き渡しの際に、顧客が不在となることが減少し、顧客への速やかな写真の引き渡しが可能になる。
【発明を実施するための最良の形態】
【００３３】
以下、添付図面を参照しつつ本発明の実施形態について説明する。
【００３４】
＜１．第１の実施形態＞
＜１．１  写真撮影システムの全体構成および動作＞
図１は、本発明の第１の実施形態に係る写真撮影システムの全体構成を示すブロック図である。この写真撮影システムは、デジタルカメラ１００と第１のコンピュータとしての画像確認用パソコン２００と第２のコンピュータとしての画像編集用パソコン３００とプリンタ（印刷装置）４００と現像装置５００とを備えている。デジタルカメラ１００は、画像確認用パソコン２００と接続されている。画像確認用パソコン２００は、デジタルカメラ１００、画像編集用パソコン３００、および現像装置５００と接続されている。画像編集用パソコン３００は、画像確認用パソコン２００およびプリンタ４００と接続されている。プリンタ４００は、画像編集用パソコン３００と接続されている。現像装置５００は、画像確認用パソコン２００と接続されている。
【００３５】
デジタルカメラ１００は、写真撮影の対象となる被写体を撮影し、撮影結果として、デジタルデータである撮影画像を生成する。画像確認用パソコン２００は、デジタルカメラ１００によって生成された撮影画像を取り込み、当該撮影画像をディスプレイに表示させる。カメラマンや顧客は、この画像確認用パソコン２００のディスプレイに表示された撮影画像を見て、被写体の写り具合など撮影結果の確認を行う。画像編集用パソコン３００は、画像確認用パソコン２００に取り込まれた撮影画像を取得し、当該撮影画像をディスプレイに表示させる。また、画像編集用パソコン３００は、ディスプレイに表示された撮影画像を編集する機能を有している。当該編集機能により、顧客は、予め用意された背景画像と撮影画像とを結合させたり、背景に文字や絵を描くことができる。プリンタ４００は、画像編集用パソコン３００による編集後の撮影画像を印刷出力する。現像装置５００は、画像確認用パソコン２００に取り込まれた撮影画像を現像して写真として出力する。
【００３６】
＜１．２  写真撮影スタジオの構成＞
図２は、上述の写真撮影システムを備える写真撮影スタジオ２のレイアウト図である。この写真撮影スタジオ２は、空間的には、写真を撮影するための第１の領域としての撮影スペース３と、顧客が待機するための第２の領域としての待合スペース５と、撮影画像を現像するための第３の領域としての現像スペース４とからなる。図２に示すように、出入口９から内部に入ってすぐに待合スペース５が設けられており、右手に現像スペース４、奥に撮影スペース３が設けられている。撮影スペース３には、デジタルカメラ１００と画像確認用パソコン２００とが設けられている。この撮影スペース３で、カメラマンはデジタルカメラ１００を用いて被写体１０の撮影を行う。なお、デジタルカメラ１００は、被写体１０を様々な角度から撮影することができるよう、空間的に固定されたものに限定されず、可動なものであっても良い。写真撮影の終了後、カメラマンおよび顧客は、画像確認用パソコン２００によって撮影画像の確認を行う。現像スペース４には、現像装置５００が設けられている。この現像スペース４で、カメラマン（あるいは店員）は、現像装置５００を用いて撮影画像を現像し、写真としての出力を行う。待合スペース５には、画像編集用パソコン３００とプリンタ４００とが設けられている。この待合スペース５で、顧客は、画像編集用パソコン３００のディスプレイ上で撮影画像を編集することができるとともに、編集後の撮影画像をプリンタ４００から印刷出力することができる。なお、各構成要素の接続関係は、図１に示すとおりである。
【００３７】
＜１．３  写真撮影および画像編集出力処理の手順＞
次に、本実施形態における写真撮影の手順について説明する。図３は、写真撮影の手順を示すフローチャートである。写真を撮影する準備が完了すると、デジタルカメラ１００による被写体１０の撮影が行われる（ステップＳ１１０）。これにより、デジタルカメラ１００では、デジタルデータの撮影画像が生成される。ステップＳ１１０の終了後、ステップＳ１２０に進み、デジタルカメラ１００から画像確認用パソコン２００への撮影画像の転送が行われる。これにより、撮影画像が画像確認用パソコン２００に取り込まれる。ステップＳ１２０の終了後、ステップＳ１３０に進み、撮影画像が画像確認用パソコン２００のディスプレイに表示され、カメラマンおよび顧客による撮影画像の確認が行われる。そして、カメラマンおよび顧客によって、画像確認用パソコン２００のディスプレイに表示された撮影画像に基づく写真出力をするか否かが判定される（ステップＳ１４０）。判定の結果、写真出力をする場合には、ステップＳ１５０に進む。一方、写真出力をしない場合には、ステップＳ１１０に戻る。
【００３８】
ステップＳ１５０では、画像確認用パソコン２００に取り込まれた撮影画像の現像装置５００への出力（転送）が行われる。これにより、撮影画像が現像装置５００に取り込まれる。ステップＳ１５０の終了後、ステップＳ１６０に進み、現像装置５００において、撮影画像に基づいて写真を出力するための現像処理が行われる。その後、現像装置５００から写真が出力される（ステップＳ１７０）。以上の手順により、写真撮影が終了する。
【００３９】
ここで、ステップＳ１４０で「写真出力をする」旨の判定が行われてからステップＳ１７０での写真出力が終了して顧客に写真が引き渡されるまでには多少の時間を要する。そこで、本実施形態においては、顧客が待ち時間に撮影画像の編集をして楽しむことができるように、待合スペース５に画像編集用パソコン３００とプリンタ４００とが設けられている。なお、撮影画像の編集や編集後の撮影画像の印刷出力を行う処理のことを「画像編集出力処理」という。
【００４０】
図４は、画像編集出力処理の手順を示すフローチャートである。まず、画像確認用パソコン２００から画像編集用パソコン３００への撮影画像の転送が行われる（ステップＳ２１０）。これにより、撮影画像が画像編集用パソコン３００に取り込まれる。ステップＳ２１０の終了後、ステップＳ２２０に進み、撮影画像が画像編集用パソコン３００のディスプレイに表示され、顧客による撮影画像の編集が行われる。具体的には、顧客は、予め用意された背景画像と撮影画像とを結合させたり、背景に文字や絵を描くことができる。ステップＳ２２０の終了後、ステップＳ２３０に進み、顧客によって、編集後の撮影画像の印刷出力をするか否かが判定される。判定の結果、印刷出力をする場合には、ステップＳ２４０に進む。一方、印刷出力をしない場合には、ステップＳ２５０に進む。ステップＳ２４０では、画像編集用パソコン３００による編集後の撮影画像がプリンタ４００から出力される。ステップＳ２５０では、顧客によって、画像編集出力処理を継続するか否かが判定される。判定の結果、継続する場合には、ステップＳ２２０に戻る。一方、継続しない場合には、終了する。
【００４１】
＜１．４  効果＞
以上のように、本実施形態によると、写真撮影スタジオ２の待合スペース５には、画像編集用パソコン３００とプリンタ４００とが設けられている。画像編集用パソコン３００は、デジタルカメラ１００による撮影後の撮影画像を確認するための画像確認用パソコン２００と接続されており、当該画像確認用パソコン２００から撮影画像を取り込み当該撮影画像の編集を行う機能を有している。このため、顧客は、写真撮影が終了してから写真が引き渡されるまでの待ち時間に、画像編集用パソコン３００によって撮影画像に落書き等の編集をして楽しむことができる。また、画像編集用パソコン３００には、プリンタ４００が接続されている。このため、顧客は、画像編集用パソコン３００で編集した撮影画像を印刷出力することができる。これにより、遊戯性が向上し、顧客はより待ち時間に楽しむことができる。以上のように、待ち時間においても顧客は退屈することなく楽しむことができ、店側にとっては顧客満足度が向上するという利点が得られる。また、上述のように待ち時間に顧客は楽しむことができるので、顧客を待合スペース５内で待機させることが容易になる。これにより、写真の引き渡しの際に、顧客が不在となることが減少し、顧客への速やかな写真の引き渡しが可能になる。
【００４２】
＜２．第２の実施形態＞
＜２．１  写真撮影システムの全体構成および動作＞
図５は、本発明の第２の実施形態に係る写真撮影システムの全体構成を示すブロック図である。この写真撮影システムは、デジタルカメラ１００と画像確認用パソコン２００と現像装置５００と管理用サーバ６００と店舗端末としてのＰＯＳ端末７００と自動写真作成装置８００とを備えている。デジタルカメラ１００は、画像確認用パソコン２００と接続されている。また、画像確認用パソコン２００と現像装置５００と管理用サーバ６００とＰＯＳ端末７００と自動写真作成装置８００とは、ＬＡＮによって互いに接続されている。
【００４３】
管理用サーバ６００には、撮影画像や顧客データ等が格納される。すなわち、管理用サーバ６００は、画像管理や顧客管理のためのサーバコンピュータとして機能する。ＰＯＳ端末７００では、写真撮影の予約の登録等が行われる。自動写真作成装置８００は、画像編集部８１と出力部８２とを有している。画像編集部８１は、画像確認用パソコン２００から撮影画像を取り込み、当該撮影画像の編集を行う。出力部８２は、画像編集部８１で編集された撮影画像を写真シールとして出力する。また、本実施形態においては、画像確認用パソコン２００は、自動写真作成装置８００の画像編集部８１で編集された撮影画像を取り込み、当該編集後の撮影画像を現像装置５００へと転送することができる。これにより、画像編集部８１で編集された撮影画像を、現像装置５００で現像して、写真として出力することができる。それ以外の構成要素については、上記第１の実施形態と同様であるので、同一の構成要素については同一の参照符号を付して詳しい説明を省略する。
【００４４】
＜２．２  写真撮影スタジオの構成＞
図６は、上述の写真撮影システムを備える写真撮影スタジオ２のレイアウト図である。この写真撮影スタジオ２は、空間的には、第１の領域としてのスタジオ６と、第２の領域としての待合室８と、第３の領域としての事務室７とからなる。典型的には、スタジオ６、事務室７、および待合室８は、それぞれ個別の部屋になっており、各部屋を行き来するためのドア１３が設けられている。図６に示すように、出入口９から内部に入ると待合室８があり、右手に事務室７、奥にスタジオ６が設けられている。事務室７と待合室８との間には受付１２が設けられている。
【００４５】
スタジオ６には、デジタルカメラ１００と画像確認用パソコン２００とが設けられている。また、スタジオ６にはステージ１１が設けられており、撮影の際には、ステージ１１上に被写体１０が配置される。第１の実施形態と同様、デジタルカメラ１００による写真撮影の終了後、カメラマンおよび顧客は、画像確認用パソコン２００によって撮影画像の確認を行う。事務室７には、現像装置５００と管理用サーバ６００とＰＯＳ端末７００とが設けられている。この事務室７で、カメラマン（あるいは店員）は、現像装置５００を用いて撮影画像を現像し、写真としての出力を行う。また、この事務室７では、管理用サーバ６００を用いた顧客管理やＰＯＳ端末７００を用いた写真撮影の予約の登録などが行われる。待合室８には、自動写真作成装置８００が設けられている。この待合室８で、顧客は、自動写真作成装置８００を用いて、撮影画像の編集や編集後の撮影画像の写真シールとしての出力をすることができる。なお、各構成要素の接続関係は、図５に示すとおりである。
【００４６】
＜２．３  効果＞
以上のように、本実施形態によると、写真撮影スタジオ２の待合室８には、自動写真作成装置８００が設けられている。自動写真作成装置８００は、デジタルカメラ１００による撮影後の撮影画像を確認するための画像確認用パソコン２００と接続されており、当該画像確認用パソコン２００から撮影画像を取り込んで、撮影画像の編集や編集後の撮影画像の写真シールとしての出力を行うことができる。このため、顧客は、写真撮影が終了してから写真が引き渡されるまでの待ち時間に、退屈することなく楽しむことができる。また、自動写真作成装置８００による編集後の撮影画像を現像装置５００から写真として出力することもできる。これにより、遊戯性が向上し、顧客はより待ち時間に楽しむことができる。更に、画像確認用パソコン２００等とＬＡＮによって接続された管理用サーバ６００やＰＯＳ端末７００が設けられているので、画像管理や顧客管理、予約管理等を一つのシステムで一元的に行うことができ、写真撮影スタジオ２の運営が効率的に行われる。
【００４７】
＜２．４  変形例＞
次に、上記第２の実施形態の変形例について説明する。上記第２の実施形態においては、写真撮影スタジオ２にはスタジオが１つだけ設けられていたが、本変形例においては、２つのスタジオが写真撮影スタジオ２に設けられている。図７は、本変形例に係る写真撮影システムの全体構成を示すブロック図である。この写真撮影システムには、画像確認用パソコン２００とそれに接続されたデジタルカメラ１００とが、それぞれ２つずつ設けられている。それ以外の構成要素については、上記第２の実施形態と同様であるので、同一の構成要素については同一の参照符号を付して詳しい説明を省略する。また、図８は、本変形例における写真撮影スタジオ２のレイアウト図である。上記第２の実施形態とは異なり、写真撮影スタジオ２には、第１スタジオ６１と第２スタジオ６２とが設けられている。そして、第１スタジオ６１および第２スタジオ６２には、それぞれ、デジタルカメラ１００と画像確認用パソコン２００とが設けられている。以上のように、複数のスタジオを備える写真撮影スタジオ２においても、本発明を適用することができる。
【００４８】
＜３．その他＞
上記各実施形態においては、図２、図６、および図８を写真撮影スタジオ２のレイアウト図として説明したが、本発明はこれに限定されない。デジタルカメラ１００およびその撮影画像を取り込むためのコンピュータを備える領域と、現像装置５００を備える領域と、撮影画像を編集するためのコンピュータおよび編集後の撮影画像を印刷出力するための印刷装置を備える領域とを有していれば、上記説明したレイアウトと異なるレイアウトでも良い。例えば、図６に示すレイアウト図を変形し、写真撮影スタジオ２の１階部分に事務室７と待合室８とを備え、２階部分にスタジオ６を備えるというようなレイアウトにしても良い。
【００４９】
また、上記各実施形態においては、写真撮影スタジオ２内の現像装置５００が撮影画像を写真として現像する構成にしているが、本発明はこれに限定されない。写真撮影スタジオ２内では、写真として現像すべき撮影画像の画像確認用パソコン２００への取り込みまでが行われ、この写真撮影スタジオ２外の現像所等で写真としての現像が行われる構成にしてもよい。すなわち、上記各実施形態においては、撮影画像は画像確認用パソコン２００から出力されてＬＡＮ等のネットワークによって現像装置５００に転送されているが、本発明はこれに限定されず、画像確認用パソコン２００において撮影画像がＣＤ−Ｒ、ＣＤ−ＲＷ、ＤＶＤ−Ｒ、ＤＶＤ−ＲＷ、ＭＯなどの記憶媒体に出力される構成にすることもできる。
【００５０】
さらに、本発明は様々なハードウェア構成の写真撮影システムに適用することができる。この写真撮影システムは、図９に示すように、機能的には、被写体を撮影して撮影画像を生成する撮影手段１０１と、撮影手段１０１で生成された撮影画像を取り込む画像転送手段２０１と、画像転送手段２０１に取り込まれた撮影画像を編集する画像編集手段３０１と、画像転送手段２０１に取り込まれた撮影画像を写真として出力する写真出力手段５０１と、画像編集手段３０１で編集された撮影画像を印刷出力する編集画像印刷出力手段４０１とを備えている。これら各手段についてのハードウェア構成は特に限定されるものではない。上記各実施形態において説明したハードウェア構成の他、例えば、図１０に示すように、撮影手段１０１を備える第１の装置９０１、画像転送手段２０１と画像編集手段３０１とを備える第２の装置９０２、編集画像印刷出力手段４０１と写真出力手段５０１とを備える第３の装置９０３から構成されるようにしても良い。
【００５１】
さらにまた、図９に示す編集画像印刷出力手段４０１および写真出力手段５０１として、具体的には様々なものを適用することができる。例えば、昇華型プリンタ、ＴＡ方式（Ｔｈｅｒｏｍｏ−Ａｕｔｏｃｈｒｏｍｅ方式：光定着型感熱カラープリント記録方式）プリンタ、インクジェットプリンタ、デジタルカラープリンタなどが挙げられるが、これらに限定されるものではない。また、デジタル現像サービスを行うラボ、ラボと同様の機能を有するスタンドアローン型ラボ機などを編集画像印刷出力手段４０１や写真出力手段５０１として実現することもできる。
【図面の簡単な説明】
【００５２】
【図１】本発明の第１の実施形態に係る写真撮影システムの全体構成を示すブロック図である。
【図２】上記第１の実施形態における写真撮影スタジオのレイアウト図である。
【図３】上記実施形態において、写真撮影の手順を示すフローチャートである。
【図４】上記実施形態において、画像編集出力処理の手順を示すフローチャートである。
【図５】本発明の第２の実施形態に係る写真撮影システムの全体構成を示すブロック図である。
【図６】上記第２の実施形態における写真撮影スタジオのレイアウト図である。
【図７】上記第２の実施形態の変形例に係る写真撮影システムの全体構成を示すブロック図である。
【図８】上記第２の実施形態の変形例における写真撮影スタジオのレイアウト図である。
【図９】本発明の写真撮影システムを機能的に示す機能ブロック図である。
【図１０】本発明の写真撮影システムのハードウェア構成の一例を示すブロック図である。
【図１１】従来の写真撮影システムの全体構成を示すブロック図である。
【図１２】従来の写真撮影システムの別の例の全体構成を示すブロック図である。
【符号の説明】
【００５３】
２…写真撮影スタジオ
３…撮影スペース
４…現像スペース
５…待合スペース
１００…デジタルカメラ
１０１…撮影手段
２００…画像確認用パソコン
２０１…画像転送手段
３００…画像編集用パソコン
３０１…画像編集手段
４００…プリンタ
４０１…編集画像印刷出力手段
５００…現像装置
５０１…写真出力手段
６００…管理用サーバ
７００…ＰＯＳ端末
８００…自動写真作成装置
【図１】
2007163826.tif 000003
【図２】
2007163826.tif 000004
【図３】
2007163826.tif 000005
【図４】
2007163826.tif 000006
【図５】
2007163826.tif 000007
【図６】
2007163826.tif 000008
【図７】
2007163826.tif 000009
【図８】
2007163826.tif 000010
【図９】
2007163826.tif 000011
【図１０】
2007163826.tif 000012
【図１１】
2007163826.tif 000013
【図１２】
2007163826.tif 000014